(57)【要約】【課題】二つの通信システムにおいて同一認証データを他の端末と同時に動作しないようにする。【解決手段】ユーザは変更するＰＩＮコードを入力部２から入力する。制御部４は、記憶部５内に記録されているＩＤデータ６を用いた一意変換処理をユーザＰＩＮに対して行う。ここで、一意変換処理により生成される独自個人認証データを、カードＰＩＮとする。カードＰＩＮをＵＳＩＭインタフェース３を経由してＵＳＩＭカードに送信し、記録する。【選択図】　　　図１
2004096164.tif 000002
【特許請求の範囲】
【請求項１】
二つの通信システムにアクセス可能な二重通信システム携帯端末装置において、
ユーザが個人認証データを入力する入力部と、
通信システムの個人認証データを格納する記憶部と、
前記入力部によりユーザが一つの通信システムの個人認証データを入力した場合、入力した任意の個人認証データに対して、前記記憶部に記録されている他の通信システムの個人認証データを用いた一意変換処理を行い、独自個人認証データを生成する制御部とを備えたことを特徴とする二重通信システム携帯端末装置。
【請求項２】
さらに前記独自個人認証データを格納する着脱自在な記憶手段を備え、
前記制御部は、前記記憶手段に前記独自個人認証データを記録して新規登録あるいは変更登録することを特徴とする請求項１記載の二重通信システム携帯端末装置。
【請求項３】
さらに前記独自個人認証データを格納する着脱自在な記憶手段を備え、
前記制御部は、前記記憶手段に記録された独自個人認証データと、ユーザが入力した個人認証データから求めた独自個人認証データを比較し、一致した場合のみ通信システムの使用を可能とすることを特徴とする請求項１記載の二重通信システム携帯端末装置。
【請求項４】
前記通信システムは、ＰＤＣとＷ−ＣＤＭＡであり、
前記記憶手段は、ＵＳＩＭカードであり、
前記個人認証データは、ＰＤＣの場合がＩＤデータであり、Ｗ−ＣＤＭＡの場合がＰＩＮコードであり、
前記ＵＳＩＭカードには、ＰＩＮコードを記憶させることを特徴とする請求項１〜３のいずれかに記載の二重通信システム携帯端末装置。
【発明の詳細な説明】
【０００１】
【発明の属する技術分野】
本発明は、２Ｇ（ＰＤＣ）端末と３Ｇ（Ｗ−ＣＤＭＡ）端末として二つの通信システムを利用可能とする二重通信システム携帯端末装置に関するものである。
【０００２】
【従来の技術】
近年、２Ｇ（ＰＤＣ：Ｐｅｒｓｏｎａｌ　Ｄｉｇｉｔａｌ　Ｃｅｌｌｕｌａｒ）と３Ｇ（Ｗ−ＣＤＭＡ：Ｗｉｄｅｂａｎｄ−Ｃｏｄｅ　Ｄｉｖｉｓｉｏｎ　Ｍｕｌｔｉｐｌｅ　Ａｃｃｅｓｓ）の機能を同一端末内に包含するＤｕａｌ携帯端末機が開発されている。これは、両機能のうち、ユーザが最適と判断する方を選択できるようにするとともに、地域によって送受信可能な機能を選択できるようにするためである。
【０００３】
このＤｕａｌ携帯端末機においては、２Ｇと３Ｇで共通の電話番号を使用することで開発が進められている。この場合２Ｇと３ＧのＩＤ情報は分離できないように設計されるべきである。
【０００４】
【発明が解決しようとする課題】
しかし、３Ｇ（Ｗ−ＣＤＭＡ）のＩＤ情報や電話番号情報などはＵＳＩＭカードに記録されているため、ＵＳＩＭカードが分離可能であるとすると、他の３Ｇ端末等にこのＵＳＩＭを装着された場合、Ｄｕａｌ端末と３Ｇ端末で同じ番号を持つ端末があるという不都合な状況が生じる。
【０００５】
このため、２Ｇ＆３ＧのＤｕａｌ端末のＩＤ情報を分離不可能にするために、ＵＳＩＭカードを端末内部に完全に固定装着し、物理的に取り外せないようにする方法が考えられていた。しかし、この方法では３ＧＰＰの仕様に沿っておらず、ＵＳＩＭカード自体の再利用や電話帳データなどＵＳＩＭ内に保持しているデータの流用も容易は行えないという問題があった。
【０００６】
そこで、本発明の目的は、二つの通信システムにおいて同一認証データを他の端末と同時に動作しないようにする２重通信システム携帯端末装置を提供することにある。
【０００７】
【課題を解決するための手段】
本発明は、二つの通信システムにアクセス可能な二重通信システム携帯端末装置において、ユーザが個人認証データを入力する入力部と、通信システムの個人認証データを格納する記憶部と、前記入力部によりユーザが一つの通信システムの個人認証データを入力した場合、入力した任意の個人認証データに対して、前記記憶部に記録されている他の通信システムの個人認証データを用いた一意変換処理を行い、独自個人認証データを生成する制御部とを備えたことを特徴とする。
【０００８】
本発明は、さらに前記独自個人認証データを格納する着脱自在な記憶手段を備え、前記制御部が、前記記憶手段に前記独自個人認証データを記録して新規登録あるいは変更登録したり、前記記憶手段に記録された独自個人認証データと、ユーザが入力した個人認証データから求めた独自個人認証データを比較し、一致した場合のみ通信システムの使用を可能としたりすることを特徴とする。
【０００９】
ここで、前記通信システムは、ＰＤＣとＷ−ＣＤＭＡであり、前記記憶手段は、ＵＳＩＭカードであり、前記個人認証データは、ＰＤＣの場合がＩＤデータであり、Ｗ−ＣＤＭＡの場合がＰＩＮコードであり、前記ＵＳＩＭカードには、ＰＩＮコードを記憶させることを特徴とする。
【００１０】
【発明の実施の形態】
以下、本発明の実施形態について、図面を参照しながら説明する。
図１は本発明の一つの実施形態である２Ｇ＆３ＧのＤｕａｌ携帯端末の概略構造を示しているブロック図である。図２は同Ｄｕａｌ携帯端末においてＰＩＮコードを変更する場合の動作制御を示すフローチャートである。図３は同Ｄｕａｌ携帯端末においてＰＩＮコードを入力し、ＵＳＩＭカードの認証を行う場合の動作制御を示すフローチャートである。
【００１１】
２Ｇ＆３ＧのＤｕａｌ携帯端末とは、従来の技術で説明したように、２Ｇ（ＰＤＣ）と３Ｇ（Ｗ−ＣＤＭＡ）の二つの通信システムの送受信が可能な２重通信システム携帯端末機のことである。
【００１２】
図１において、１は各情報を表示するためのＬＣＤ等の表示装置であり、２はＰＩＮコード（個人認証番号）の入力などを行うためのキー入力部であり、３はＵＳＩＭカードを装着しＵＳＩＭと制御部との間の通信を行うためのＵＳＩＭインターフェース部であり、４はＤｕａｌ携帯端末各装置部の制御やＰＩＮコードの変換処理などを行うための制御部であり、５は２ＧのＩＤデータ（個人認証データ）などの端末で使用される情報を記憶するための記憶部であり、６はＰＩＮコードの一意変換処理に用いる２Ｇ用のＩＤデータであり、７は無線通信制御などを行うための無線制御部である。ＵＳＩＭカードは、着脱自在な携帯記憶手段であり、後述する独自ＰＩＮコードという独自個人認証データを記憶する。
【００１３】
上記構成の２Ｇ＆３ＧＤｕａｌ携帯端末において、ＰＩＮコードの変更処理動作を図２のフローチャートを用いて説明する。
ステップＡ−１において、ユーザは変更するＰＩＮコードを入力部２から入力する。この変更するＰＩＮコードをユーザＰＩＮとする。入力処理が終了するとステップＡ−２に移行する。端末毎に異なる固有の情報として記憶部５内には２ＧのＩＤデータ６が記録されているが、ステップＡ−２では、制御部４が、この２ＧのＩＤデータ６を用いた一意変換処理をユーザＰＩＮに対して行う。ここで、一意変換処理を、ｆ（ｘ）とする。また、ユーザＰＩＮに対して２ＧのＩＤデータを用いてｆ（ｘ）により生成される独自個人認証データを、カードＰＩＮとする。
【００１４】
ステップＡ−３では、ステップＡ−１でユーザが入力したユーザＰＩＮではなく、ステップＡ−２で生成されたカードＰＩＮをＵＳＩＭインターフェース３を経由してＵＳＩＭカードに制御部４が送信する。
ステップＡ−４では、ＵＳＩＭカードからの応答に応じて、ＰＩＮコード変更が成功した場合は、ＵＳＩＭカードにカードＰＩＮが記録されステップＡ−５へ、送信エラー、ＵＳＩＭカードのエラーなど何らかの問題により変更に失敗した場合はステップＡ−６に移行する。
【００１５】
ステップＡ−５では、表示部１にＰＩＮコードの変更が成功した旨を表示し、ステップＡ−７へ移行する。ステップＡ−６では、ＰＩＮコードの変更が失敗した旨を表示し、ステップＡ−７へ移行する。
ステップＡ−７では、ＰＩＮコードの変更作業を完了し、通常動作に戻り本処理を終了する。
【００１６】
本実施形態によれば、ユーザがＰＩＮコードを変更する際に、ユーザが入力したＰＩＮコードに対して２Ｇ用のＩＤ情報など端末内に記録されている端末毎に異なる固有の情報を用いた一意変換処理を行うことにより、端末独自のＰＩＮコードを生成し、生成した端末独自のＰＩＮコードをＵＳＩＭカードに記録する。このことでＰＩＮコードの変更を行うことにより、ユーザが使用するＰＩＮコードとＵＳＩＭカードに記録されているＰＩＮコードを異なるものにすることができる。
【００１７】
こうして、ユーザの使用するＰＩＮコードと、実際にＵＳＩＭカードに記録されるＰＩＮコードとを異なるものにすることにより、Ｄｕａｌ端末で使用しているＵＳＩＭカードを取り外し、他のＤｕａｌ端末や３Ｇ端末でそのＵＳＩＭカードを装着し、ＵＳＩＭカードを認証しようとしても、端末により異なる固有情報を用いて一意変換処理することにより生成したＰＩＮコードは端末毎に異なることになる。従って、ＵＳＩＭカードの認証は失敗するため、同一番号を持つ端末が同時に動作しないことを可能にすることができる。
【００１８】
図３では上記構成のＤｕａｌ携帯端末においてユーザがＰＩＮコードを入力しＰＩＮコードの認証処理を行う際の動作について説明する。
【００１９】
ステップＢ−１において、ユーザは、認証するＰＩＮコードとしてユーザＰＩＮを入力する。入力処理が終了するとステップＢ−２に移行する。
入力されたユーザＰＩＮに対して、端末毎に異なる固有の情報である記憶部５に２ＧのＩＤデータ６が記録されているのでるが、ステップＢ−２では、制御部４が、この２ＧのＩＤデータ６を用いた一意変換処理ｆ（ｘ）を行う。ｆ（ｘ）処理を行うことによりカードＰＩＮデータが生成される。
【００２０】
ステップＢ−３においては、ステップＢ−２で一意変換処理ｆ（ｘ）により生成されたカードＰＩＮによるＰＩＮコードの認証要求をＵＳＩＭカードに送信しステップＢ−４に移行する。
ステップＢ−４では、ＵＳＩＭカードの応答に応じて、ＰＩＮコードが一致していた場合、制御部４によるＰＩＮコードの認証は成功し、ステップＢ−５に移行する。他の３Ｇ端末やＤｕａｌ端末にカードを使用していた場合は、ｆ（ｘ）により得られるＰＩＮコードが期待する値と異なるためエラーとなり、ステップＢ−６に移行する。
【００２１】
ステップＢ−５では、制御部４が、ＰＩＮコードの認証に成功したとして通常の発信動作可能となる通常モードでの使用可能とし、ステップＢ−９へ移行する。
ステップＢ−６ではＰＩＮコードの認証に失敗したエラー回数を１回増やしステップＢ−７へ移行する。
【００２２】
ステップＢ−７では、ＰＩＮコード認証エラー回数が３回より少ない場合ステップＢ−１へ移行し、ＰＩＮコードの認証処理を継続する。エラー回数が３回の場合、認証を失敗とし、ステップＢ−８へ移行する。
ステップＢ−８では、ＰＩＮコード認証処理を失敗したため、緊急呼のみ発信できる緊急呼モードでの使用可能状態とし、ステップＢ−９へ移行する。
ステップＢ−９では、ＰＩＮコード認証処理の結果に応じて、通常モード，緊急呼モードでの通常動作に戻り本処理を完了する。
【００２３】
このように、認証時にユーザが入力したＰＩＮコードに対して端末内に記録されている端末毎に異なる固有の情報である２ＧのＩＤデータなどを用いた一意変換処理を行い、カードに送信するためのＰＩＮコードを生成することにより、ＰＩＮコードを生成したＤｕａｌ端末においてはＵＳＩＭカードの認証が可能になる。さらに、他のカードを使用した場合は入力されたＰＩＮコードとＤｕａｌ端末の固有データによる一意変換処理を行うことにより生成されるカードに対して送られるＰＩＮコードは異なるものになるため、Ｄｕａｌ端末に異なるカードが装着された場合、同じ端末内に異なる２つの電話番号が存在するという問題を回避することが可能になる。
【００２４】
【発明の効果】
本発明によれば、ユーザが入力した個人認証データに対して他の通信システムの記憶されている個人認証データを用いた一意変換処理を行うことにより、端末独自の個人認証データを生成するので、例え、ユーザが他の端末と同一のデータを入力しても、端末独自のデータが形成されることにより、同一認証データが使用されることを防ぐことができる。
しかも、この独自個人認証データをカードタイプのような着脱自在な記憶手段に記憶することにより、ユーザが同一個人認証データを各端末に使用しても、特定の端末においてのみしか使用できない独自個人認証データを使用することになる。そのため、他の端末にこの記憶手段を装着し、認証しようとしても、端末により異なる固有情報である独自個人認証データであるので、認証は失敗し、同一データを持つ端末が同時に動作しないことを可能にすることができる。
【図面の簡単な説明】
【図１】本発明の二重通信システム携帯電話の一実施形態を示すブロック図である。
【図２】制御部が、ＰＩＮコードを変更する場合の動作制御を示すフローチャートである。
【図３】制御部が、ＰＩＮコードを入力に対し、ＵＳＩＭカードの認証を行う場合の動作制御を示すフローチャートである。
【符号の説明】
１　表示部
２　入力部
３　ＵＳＩＭ　インターフェース部
４　制御部
５　記憶部
６　ＩＤデータ
７　無線制御部
【図１】
2004096164.tif 000003
【図２】
2004096164.tif 000004
【図３】
2004096164.tif 000005